(57)【要約】【課題】立体画像鑑賞システムにおいて、鑑賞者の姿勢に関わらず、安定した立体画像を鑑賞できるようにする。【解決手段】立体画像鑑賞用眼鏡３は、水平面に対する傾きを検出する水準器１６と、その傾きに関する信号を画像表示装置２に送信する傾き信号送信部１４を有する。画像表示装置２は、傾き信号送信部１４から送信された傾きに関する信号を受信する傾き信号受信部９と、受信された傾きに関する信号に基づいて、画像表示部６に表示させる画像の傾きを補正する信号処理部５をさらに有する。【選択図】図２
2012235348.tif 000002
【特許請求の範囲】
【請求項１】
視差のある画像を交互に表示する画像表示部を有する画像表示装置と、前記画像表示部に表示された視差のある画像を鑑賞するための立体画像鑑賞用眼鏡を備えた立体画像鑑賞システムにおいて、
前記立体画像鑑賞用眼鏡は、水平面に対する傾きを検出する傾きセンサと、前記傾きセンサによって検出された傾きに関する信号を前記画像表示装置に送信する傾き信号送信部を有し、
画像表示装置は、前記傾き信号送信部から送信された傾きに関する信号を受信する傾き信号受信部と、前記傾き信号送信部によって受信された傾きに関する信号に基づいて、画像表示部に表示させる画像の傾きを補正する画像傾き補整手段をさらに有することを特徴とする立体画像鑑賞システム。
【請求項２】
前記画像傾き補整手段は、前記画像表示部に入力される画像データを補正する画像データ補正手段を有することを特徴とする請求項１に記載の立体画像鑑賞システム。
【請求項３】
前記画像データ補正手段は、画像の傾きに応じて、画像を縮小して前記画像表示部に表示させることを特徴とする請求項１又は請求項２に記載の立体画像鑑賞システム。
【請求項４】
前記画像傾き補整手段は、前記画像表示部の画像表示面に垂直な軸回りに該画像表示部を回転させる回転駆動機構を有することを特徴とする請求項１乃至請求項３のいずれか一項に記載の立体画像鑑賞システム。
【発明の詳細な説明】
【技術分野】
【０００１】
本発明は、立体画像（３Ｄ画像）を鑑賞可能とする立体画像鑑賞システムに関する。
【背景技術】
【０００２】
従来から、視差のある２つの画像を交互に表示して、専用の眼鏡を用いて立体画像を鑑賞可能とする立体画像鑑賞システムが知られている。例えば、特許文献１の請求項５には、眼鏡に傾斜角センサを設け、検出された傾き角度に応じて眼鏡の液晶板に印加する電圧を制御してクロストークを防止する技術が開示されている。また、特許文献２には、左眼画像と右眼画像を回転して合成し、それらの相対的なずれを補正する技術が開示されている。また、特許文献３には、視差分布データを用いて左眼用／右眼用補正画像を生成する技術が開示されている。また、特許文献４には、第１の撮像画像及び第２の撮像画像のうち少なくとも一方に対して回転処理を施して、第１の撮像画像と第２の撮像画像とで特定対象の傾きを一致させる技術が開示されている。また、特許文献５には、映像信号に歪み補正処理を行う技術が開示されている。
【先行技術文献】
【特許文献】
【０００３】
【特許文献１】特開２００９−１７２０７号公報
【特許文献２】特開２０１０−１２４３６６号公報
【特許文献３】特開平９−２４７７１１号公報
【特許文献４】特開２０１０−１４７９４０号公報
【特許文献５】特開２００９−３１８０３号公報
【発明の概要】
【発明が解決しようとする課題】
【０００４】
このような立体画像鑑賞システムにおいては、鑑賞者の姿勢によっては、画像表示部と眼鏡との平行度が維持できなくなるのに起因して、眼鏡越しの画面が暗く感じられたり、画像がぶれたりする問題がある。上記特許文献１に示された技術においては、眼鏡側に電圧制御の応答性を相応に要求することから、処理能力の高い（消費電力の大きい）制御回路を必要とし、眼鏡に内蔵される電池の消耗を抑制することが困難であった。
【０００５】
また、上記特許文献２乃至特許文献５に示された技術を用いても上述した課題を解決することが困難である。
【０００６】
本発明は、上記課題を解決するためになされたものであり、鑑賞者の姿勢に関わらず、安定した立体画像を鑑賞できる立体画像鑑賞システムを提供することを目的とする。
【課題を解決するための手段】
【０００７】
上記目的を達成するために請求項１の発明は、視差のある画像を交互に表示する画像表示部を有する画像表示装置と、前記画像表示部に表示された視差のある画像を鑑賞するための立体画像鑑賞用眼鏡を備えた立体画像鑑賞システムにおいて、前記立体画像鑑賞用眼鏡は、水平面に対する傾きを検出する傾きセンサと、前記傾きセンサによって検出された傾きに関する信号を前記画像表示装置に送信する傾き信号送信部を有し、画像表示装置は、前記傾き信号送信部から送信された傾きに関する信号を受信する傾き信号受信部と、前記傾き信号送信部によって受信された傾きに関する信号に基づいて、画像表示部に表示させる画像の傾きを補正する画像傾き補整手段をさらに有することを特徴とする。
【０００８】
請求項２の発明は、請求項１に記載の立体画像鑑賞システムにおいて、前記画像傾き補整手段は、前記画像表示部に入力される画像データを補正する画像データ補正手段を有することを特徴とする。
【０００９】
請求項３の発明は、請求項１又は請求項２に記載の立体画像鑑賞システムにおいて、前記画像データ補正手段は、画像の傾きに応じて、画像を縮小して前記画像表示部に表示させることを特徴とする。
【００１０】
請求項４の発明は、請求項１乃至請求項３のいずれか一項に記載の立体画像鑑賞システムにおいて、前記画像傾き補整手段は、前記画像表示部の画像表示面に垂直な軸回りに該画像表示部を回転させる回転駆動機構を有することを特徴とする。
【発明の効果】
【００１１】
請求項１の発明によれば、立体画像鑑賞用眼鏡の傾きに応じて、画像表示装置側の画像傾き補整手段が画像表示部に表示させる画像の傾きを補正するので、鑑賞者の姿勢に関わらず、眼鏡越しの画面の明るさ変動や画像のぶれを抑制することができる。また、画像表示装置によって画像の傾きを補正するので、立体画像鑑賞用眼鏡に従来と同等の処理能力の制御回路を用いることができ、内蔵される電池の消耗を抑制しつつ、安定した立体画像を鑑賞することが可能となる。
【００１２】
請求項２の発明によれば、画像データ補正手段が、画像表示部に入力される画像データを補正することにより、画像表示部に表示させる画像の傾きを補正するので、簡素な構成で請求項１に記載の立体画像鑑賞システムを構築できる。
【００１３】
請求項３の発明によれば、画像データ補正手段が、画像の傾きに応じて、画像を縮小して画像表示部に表示させるので、画像の傾きを補正したことに起因して画像表示部からはみ出して表示されない部分が生ずることを防止することができる。また、画像の縮小により、鑑賞者は眼鏡が傾いていることを知り、姿勢を矯正することができる。
【００１４】
請求項４の発明によれば、回転駆動機構が画像表示部を回転させることによって、画像表示部に表示させる画像の傾きを補正するので、高度な画像処理を行うことなく請求項１に記載の立体画像鑑賞システムを構築できる。また、請求項２に記載の立体画像鑑賞システムと組み合わせることにより、より大きな角度の傾き補正を行うことができる。
【図面の簡単な説明】
【００１５】
【図１】本発明の一実施形態による立体画像鑑賞システムの構成を示すブロック図。
【図２】立体画像鑑賞用眼鏡の傾きが検出され、画像表示部に表示させる画像の傾きが補正される様子を示す図。
【図３】画像表示部に表示させる傾きが補正された画像の一例を示す図。
【図４】本実施形態の変形例を示す図。
【発明を実施するための形態】
【００１６】
本発明の一実施形態による立体画像鑑賞システムについて図面を参照して説明する。図１は画像表示装置を備えた立体画像鑑賞システムの構成を示す。立体画像鑑賞システム１は、画像表示装置２と、立体画像鑑賞用眼鏡３等によって構成されている。
【００１７】
画像表示装置２は、チューナ部４と、信号処理部（画像傾き補整手段、画像データ補正手段）５と、画像表示部６と、音声出力部７と、切替信号送信部８と、傾き信号受信部９と、制御部１０を有している。チューナ部４は、アンテナを介して放送信号を受信する。信号処理部５は、チューナ部４によって受信された放送信号にデコード等の処理を施す。また、信号処理部５は、後述する眼鏡の傾きに関する信号に基づいて、画像表示部６に表示させる画像の傾き、すなわち画像表示部６に入力される画像データを補正する。画像表示部６は、例えば、液晶表示パネル等によって構成され、信号処理部５によって処理された信号（画像信号）に基づいて画像を表示する。立体画像を表示する際、画像表示部６は、視差のある画像を交互に表示する。視差のある画像は、チューナ部４が受信する放送信号や、ＨＤＭＩ端子を介して接続されたプレーヤ装置が再生する信号に含まれる。音声出力部７は、スピーカ等によって構成され、信号処理部５によって処理された信号（音声信号）に基づいて音声を出力する。切替信号送信部８は、立体画像鑑賞用眼鏡３に切替信号を送信する。切替信号は、画像表示部６によって表示される画像に同期して送信される。傾き信号受信部９は、立体画像鑑賞用眼鏡３から送信された眼鏡の傾きに関する信号を受信する。制御部１０は、各部の制御を司る。
【００１８】
立体画像鑑賞用眼鏡３は、シャッタ１１と、シャッタ駆動部１２と、切替信号受信部１３と、傾き信号送信部１４と、制御部１５と、水準器（傾きセンサ）１６と、電池（図示せず）を有している。シャッタ１１は、眼鏡左右に設けられ、交互に透光状態を切り替える。シャッタ駆動部１２は、切替信号送信部８から送信された切替信号に同期させて左右のシャッタ１１を交互に開閉駆動してする。これにより、画像表示部６に交互に表示される視差のある画像とシャッタ１１の透光状態が同期され、立体画像が鑑賞可能とされる。切替信号受信部１３は、切替信号送信部８から送信された切替信号を受信する。傾き信号送信部１４は、水準器１６によって検出された傾きに関する信号を画像表示装置２に送信する。制御部１５は、各部の制御を司る。例えば、切替信号受信部１３によって切替信号が受信されたとき、制御部１５は切替信号に基づいてシャッタ駆動部１２を制御してシャッタ１１の開閉駆動を画像表示部６に表示される視差のある画像に同期させる。水準器１６は、例えば加速度センサ等によって構成され、水平面に対する立体画像鑑賞用眼鏡３の傾きを検出し、その傾きに関する信号を制御部１５に送信する。この傾きに関する信号は、傾き信号送信部１４によって画像表示装置２に送信され、傾き信号受信部９によって受信される。
【００１９】
図２は、立体画像鑑賞用眼鏡３が角度θ傾けられたときの画像表示装置２の動作状態を示す。鑑賞者の姿勢が乱れ立体画像鑑賞用眼鏡３が傾くと、その傾き角度θは水準器１６によって検知され、傾きに関する信号は、制御部１５及び傾き信号送信部１４を介して画像表示装置２に送信される。この傾きに関する信号を受信した傾き信号受信部９は、それを制御部１０に転送する。制御部１０は、傾き角度θが所定の閾値よりも大きい場合、上記傾きに関する信号を信号処理部５に転送する。そして、信号処理部５は、制御部１０から転送された傾きに関する信号に基づいて、画像表示部に入力される画像データを補正することにより、画像表示部６に表示させる画像６０を角度θだけ傾ける。これにより、画像表示部に表示させる画像６０と立体画像鑑賞用眼鏡３との平行が維持される。
【００２０】
図３は、画像表示部に表示させる画像６０の別の例を示す。この画像６０は、画像の傾き角度θに応じて信号処理部５によって縮小されたものである。図２に示した画像６０においては、画像を傾けることに伴いその角部が画像表示部６の端縁からはみ出して表示されない。そこで、本実施形態においては、傾き角度θに応じて信号処理部５によって縮小された画像データを画像表示部６に入力することにより、画像６０の全体を画像表示部６に表示させることが可能となる。
【００２１】
以上のように、本実施形態の立体画像鑑賞システム１によれば、立体画像鑑賞用眼鏡３の傾きに応じて、画像表示装置２側の信号処理部５が画像表示部６に表示させる画像の傾きを補正するので、鑑賞者の姿勢に関わらず、眼鏡越しの画面の明るさ変動や画像のぶれを抑制することができる。また、画像表示装置２によって画像の傾きを補正するので、立体画像鑑賞用眼鏡３に従来と同等の処理能力の制御部１５を用いることができ、内蔵される電池の消耗を抑制しつつ、安定した立体画像を鑑賞することが可能となる。
【００２２】
また、信号処理部５が、画像表示部６に入力される画像データを補正することにより、画像表示部６に表示させる画像の傾きを補正するので、簡素な構成で立体画像鑑賞システムを構築できる。また、信号処理部５が、画像６０の傾き角度θに応じて、画像６０を縮小して画像表示部６に表示させるので、画像６０の傾きを補正したことに起因して画像表示部６からはみ出して表示されない部分が生ずることを防止することができる。また、画像の縮小を確認することにより、鑑賞者は立体画像鑑賞用眼鏡３が傾いていることを知り、姿勢を矯正することができる。
【００２３】
図４は、上記実施形態に係る立体画像鑑賞システムの変形例を示す。上記実施形態においては、信号処理部５が、画像表示部６に入力される画像データを補正することにより、画像表示部６に表示させる画像の傾きを補正していたのに対して、この変形例においては、画像表示部６を回転させることにより画像の傾きを補正する。画像表示部６は、その背面側に配設された回転駆動機構によって、画像表示面に垂直な軸回りに回転駆動される。画像表示部６の回転に必要な駆動源としては、ＤＣモータやステッピングモータが挙げられる。ＤＣモータを用いる場合は、ロータリエンコーダ等を併用することにより、画像表示部６の回転角度が検知される。
【００２４】
この変形例によれば、回転駆動機構が画像表示部６そのものを回転させることによって、画像表示部６に表示させる画像の傾きを補正するので、高度な画像処理を行うことなく立体画像鑑賞システムを構築できる。また、図２に示したような画像表示部６に入力される画像データを補正する形態と組み合わせることにより、より大きな角度の傾き補正を行うことができる。
【００２５】
なお、本発明は上記実施形態の構成に限られることなく、少なくとも立体画像鑑賞用眼鏡３から送信された傾きに関する信号を受信して、画像表示部６に表示させる画像の傾きを補正するように構成されていればよい。
【００２６】
また、本発明は種々の変形が可能であり、例えば、立体画像鑑賞用眼鏡３の制御部１５は、水準器１６から入力された傾きに関する信号を所定の閾値と比較して閾値未満であるときは、傾き信号送信部１４から傾きに関する信号を送信しないように構成してもよい。この構成によれば、立体画像鑑賞用眼鏡３の消費電力を抑制し、電池の消耗を抑制することができる。また、画像表示部６に表示させる画像の傾きを補正する際、制御部１０が画像表示部６に入力される画像データを補正するように構成してもよい。また、切替信号及び傾きに関する信号の通信媒体は、指向性の強い赤外線の他、電波であってもよい。また、立体画像鑑賞用眼鏡３は、液晶等のシャッタ機能を有するものの他、偏光レンズを備えたものであってもよい。
【符号の説明】
【００２７】
１    立体画像鑑賞システム
２    画像表示装置
３    立体画像鑑賞用眼鏡
６    画像表示部
９    傾き信号受信部
１４    傾き信号送信部
１６    水準器（傾きセンサ）
【図１】
2012235348.tif 000003
【図２】
2012235348.tif 000004
【図３】
2012235348.tif 000005
【図４】
2012235348.tif 000006